(57)【要約】【課題】  唾液に含まれる細菌やウィルスの飛沫感染を防ぐことができ、かつ、テーブルや机の卓上に簡単に設置することができる卓上空間仕切装置を提供する。【解決手段】卓５４上に設置することで、卓５４上の空間を着座位置ごとに仕切って区画Ｓ１〜Ｓ２を形成する卓上空間仕切装置において、各区画Ｓ１〜Ｓ２の左右両側面、前面および上面に、板材またはシート材からなる仕切１６，１７，１８を備え、前後の区画間の仕切１８は、卓５４上面からの高さが４５ｃｍ以上の所定箇所に貫通部１９が設けてあり、さらに、上面の仕切１７を貫通して、区画Ｓ１〜Ｓ２内の空気を区画外に排出する換気手段４を設ける。これによって、卓上空間仕切装置Ｚ１１の卓５４上への設置が容易となり、また細菌やウィルスを含む唾液飛沫による飛沫感染や空気感染を防ぐことができる。【選択図】図２
2022001807.tif 000002
【特許請求の範囲】
【請求項１】
卓上に設置することで、卓上の空間を着座位置ごとに仕切って区画を形成する卓上空間仕切装置であって、
各区画の左右両側面、前面および上面に、板材またはシート材からなる仕切を備え、
前後および左右の区画間の仕切は、卓上面からの高さが４５ｃｍ以上の所定箇所に貫通部が設けてあり、
さらに、上面の仕切を貫通して、区画内の空気を区画外に排出する換気手段が設けてある、
ことを特徴とする卓上空間仕切装置。
【請求項２】
請求項１に記載の卓上空間仕切装置であって、
上記卓上空間仕切装置が、屋内で使用されるものであり、
上記換気手段が、区画内の空気を屋内の区画外に排出する、ＨＥＰＡフィルタを備えた換気扇である、
ことを特徴とする卓上空間仕切装置。
【請求項３】
請求項１に記載の卓上空間仕切装置であって、
上記卓上空間仕切装置が、屋内で使用されるものであり、
上記換気手段が、ダクトを介して区画内の空気を屋外に排出する換気扇、またはＨＥＰＡフィルタを備えた換気扇である、
ことを特徴とする卓上空間仕切装置。
【請求項４】
卓上に設置することで、卓上の空間を着座位置ごとに仕切って区画を形成する卓上空間仕切装置であって、
各区画の左右両側面、前面および上面に、板材またはシート材からなる仕切を備え、
前後および左右の区画間の仕切は、卓上面からの高さが４５ｃｍ以上の所定箇所に貫通部が設けてあり、
さらに、上面の仕切を貫通して、区画外の空気を区画内に導入する換気手段が設けてある、
ことを特徴とする卓上空間仕切装置。
【請求項５】
請求項４に記載の卓上空間仕切装置であって、
上記卓上空間仕切装置が、屋内で使用されるものであり、
上記換気手段が、屋内の区画外の空気を区画内に導入する、ＨＥＰＡフィルタを備えた換気扇である、
ことを特徴とする卓上空間仕切装置。
【請求項６】
請求項４に記載の卓上空間仕切装置であって、
上記卓上空間仕切装置が、屋内で使用されるものであり、
上記換気手段が、ダクトを介して屋外の空気を区画内に導入する換気扇、またはＨＥＰＡフィルタを備えた換気扇である、
ことを特徴とする卓上空間仕切装置。
【発明の詳細な説明】
【技術分野】
【０００１】
本願発明は、卓上に設置することで、卓上の空間を着座位置ごとに仕切って区画を形成する卓上空間仕切装置に関するものである。
【背景技術】
【０００２】
最近、世界的に感染拡大した新型コロナウィルス感染症が、その感染力の強さ、感染した場合の症状の重篤性、および社会経済活動への悪影響の大きさ等から、大きな社会問題となっており、他人からの感染を防ぐ方法、また感染後は周囲の人に感染させない方法がいろいろと提案されており、その中でも、特に感染者の唾液の飛沫に含まれるウィルスとか細菌が空気中に浮遊しこれを吸い込んだ人が感染する飛沫感染、空気感染を抑制するための提案が注目されている。
【０００３】
この提案は、飛沫感染、空気感染を抑制するためには、いわゆる「三蜜状態」を避けること、即ち、密閉され換気が十分でない場所（密閉環境）への立ち入りは避けること、人がたくさん集まったり、少人数でも近い距離で集まる場所（密集環境）は避けること、さらに、互いに手が届く距離（密接状態）での会話や発声、運動などは避けること、が提案されている。
【０００４】
ところで、このような「三蜜状態」は、人がテーブルや机を挟んで対面状態で着座する場合とか、横並びに近接して隣り合って着座する場合において最も起こり易いものである。しかし、現実的には、相手との距離を大きくとると話が聞こえにくい、理解しにくい等の体感的な観点とか、喫食時のマスクの着脱の煩雑さを回避する観点等から、マスクを装着することなく、しかも対面とか近接横並びに着座して、通常通り会話をしたり、喫食したりする光景が見受けられる。即ち、三蜜状態を回避するための行動自粛が十分とは言えない。
【０００５】
そうとすれば、逆に、人の行動に依存することなく、三蜜状態に至る状況下であっても、人から発せられる唾液飛沫の拡散浮遊を抑制できる手段を講じることが有効と考えられる。
【０００６】
このような、唾液飛沫等の拡散浮遊の抑制に関連する技術として、例えば、特許文献１、２に示されるものが知られている。
【０００７】
特許文献1に示されるものは、テーブルの前に着座して喫煙する場合における煙を、例えば、テーブルを挟んで対面状態で着座する人の側へ流れることを防止する目的で、テーブルの対面方向の中央部分に、空気を上方に向けて噴き出すようにした間仕切を設ける一方、該間仕切の直上の天井側に換気扇を配置し、喫煙者が噴き出す煙を、上記間仕切から噴出される空気に乗せて（即ち、対面者側へ流すことなく）上記換気扇から屋外へ噴き出すようにしている。
【０００８】
特許文献２に示されるものは、机の上部や下部に設置されたコンピュータ等から発せられる熱を、効率よく排出することを目的とするもので、机の前面側にパーティションを配置し、コンピュータ等から発せられる熱をこのパーテーションに沿って上方に噴き流す技術が開示されている。
【先行技術文献】
【特許文献】
【０００９】
【特許文献１】特公平４−７４６２２号公報
【特許文献２】特開平７−５９６１９号公報
【発明の概要】
【発明が解決しようとする課題】
【００１０】
ところで、ウィルスとか細菌を含んだ唾液飛沫の拡散浮遊の抑制要求は、恒常的なものではなく、ウィルス感染症の発生時期に限定すれば十分と考えられ、この時期以外の通常時には、テーブルや机を挟んで対面状態で着座したり、横並びに着座して、通常通り会話をしたり、喫食したりできるのが望ましい。即ち、必要な時期だけ唾液飛沫の拡散浮遊を抑制できる手段を設け、それ以外では上記手段を取り除いて通常通りの自然な環境を確保するのが好ましいといえる。
【００１１】
ところが、特許文献１に示されるものでは、
（イ）ファンを備えた間仕切と、該間仕切の直上の天井に設置される換気扇を必須の構成とし、該間仕切から噴出される空気に乗せて煙を天井側の換気扇に導くもの、即ち、煙の排出は、ファンの送風能力と換気扇の吸引能力に支配され、これらの能力によっては、煙が周辺環境に拡散することが懸念され、ウィルス感染症の予防対策としては採用しにくい、
（ロ）装置が比較的大掛かりで、これを必要に応じて簡便に脱着することが難しく、唾液飛沫の拡散浮遊の抑制要求が突発的、時限的であるウィルス感染症対策手段としては採用しにくい、
等の問題がある。
【００１２】
一方、特許文献２に示されるものでは、机の上部や下部に設置されたコンピュータ等から発せられる熱を、机の前面側に配置したパーティションに沿って上方に噴き流すもので、上記パーティション以外には熱の流れを規制するものが無いことから、熱の周囲への飛散拡大が予想され、唾液飛沫の拡散拡大の抑制効果が重要視されるウィルス感染症の予防対策としては採用しにくいという問題がある。
【００１３】
そこで本願発明は、テーブルや机を挟み、または隣り合い、互いに近接して着座する複数の人が、マスクを着用せず普通に会話や喫食を行う場合でも、唾液に含まれる細菌やウィルスの飛沫感染や空気感染を防ぐことができ、かつ、テーブルや机の卓上に簡単に設置することができる卓上空間仕切装置を提供することを目的としてなされたものである。
【課題を解決するための手段】
【００１４】
本願発明ではかかる課題を解決するための具体的手段として次のような構成を採用している。
【００１５】
本願の第１の発明では、卓上に設置することで、卓上の空間を着座位置ごとに仕切って区画を形成する卓上空間仕切装置において、各区画の左右両側面、前面および上面に、板材またはシート材からなる仕切を備える一方、前後および左右の区画間の仕切には、卓上面からの高さが４５ｃｍ以上の所定箇所に貫通部が設けてあり、さらに、上面の仕切を貫通して、区画内の空気を区画外に排出する換気手段が設けてあることを特徴としている。
【００１６】
ここで、「前後および左右の区画間の仕切」としたのは、区画が前後方向に隣接した構造のものにおける区画間の仕切と、区画が左右方向に隣接した構造のものにおける区画間の仕切とを包含する趣旨である。
【００１７】
本願の第２の発明では、上記第１の発明に係る卓上空間仕切装置において、上記卓上空間仕切装置を屋内で使用されるものとし、さらに上記換気手段を、区画内の空気を屋内の区画外に排出する、ＨＥＰＡフィルタを備えた換気扇としたことを特徴としている。
【００１８】
本願の第３の発明では、上記第１の発明に係る卓上空間仕切装置において、上記卓上空間仕切装置を屋内で使用されるものとし、さらに上記換気手段を、ダクトを介して区画内の空気を屋外に排出する換気扇、またはＨＥＰＡフィルタを備えた換気扇としたことを特徴としている。
【００１９】
ここで、「換気扇、またはＨＥＰＡフィルタを備えた換気扇」としたのは、ＨＥＰＡフィルタを備えない通常の換気扇と、ＨＥＰＡフィルタを備えた換気扇を包含する趣旨である。
【００２０】
本願の第４の発明では、卓上に設置することで、卓上の空間を着座位置ごとに仕切って区画を形成する卓上空間仕切装置において、各区画の左右両側面、前面および上面に、板材またはシート材からなる仕切を備える一方、前後および左右の区画間の仕切には、卓上面からの高さが４５ｃｍ以上の所定箇所に貫通部が設けてあり、さらに、上面の仕切を貫通して、区画外の空気を区画内に導入する換気手段が設けてあることを特徴としている。
【００２１】
ここで、「前後および左右の区画間の仕切」としたのは、区画が前後方向に隣接した構造のものにおける区画間の仕切と、区画が左右方向に隣接した構造のものにおける区画間の仕切とを包含する趣旨である。
【００２２】
本願の第５の発明では、上記第４の発明に係る卓上空間仕切装置において、上記卓上空間仕切装置を屋内で使用されるものとし、さらに上記換気手段を、屋内の区画外の空気を区画内に導入する、ＨＥＰＡフィルタを備えた換気扇としたことを特徴としている。
【００２３】
本願の第６の発明では、上記第４の発明に係る卓上空間仕切装置において、上記卓上空間仕切装置を屋内で使用されるものとし、さらに上記換気手段を、ダクトを介して屋外の空気を区画内に導入する換気扇、またはＨＥＰＡフィルタを備えた換気扇としたことを特徴としている。
【００２４】
ここで、「換気扇、またはＨＥＰＡフィルタを備えた換気扇」としたのは、ＨＥＰＡフィルタを備えない通常の換気扇と、ＨＥＰＡフィルタを備えた換気扇を包含する趣旨である。
【発明の効果】
【００２５】
本願発明では次のような効果が得られる。
【００２６】
（ａ）本願の第１の発明
（ａ−１）本願の第１の発明に係る卓上空間仕切装置では、卓上の空間を着座位置ごとに仕切って区画を形成するとともに、各区画の左右両側面、前面および上面に、板材またはシート材からなる仕切を備えた簡単な構造であることから、該卓上空間仕切装置のテーブルや机の卓上への設置、及び該卓上からの撤収が容易であり、例えば、ウィルス感染症の発生状況に応じて上記卓上空間仕切装置を設置したり、撤収したりする場合にはその効果がより顕著となる。
【００２７】
（ａ−２）また、この卓上空間仕切装置では、
（イ）卓上の空間を着座位置ごとに、その左右両側面、前面および上面に、板材またはシート材からなる仕切を設けて区画を形成し、さらに、区画内の空気を区画外に排出する換気手段を、上面の仕切を貫通して設けてあるので、各区画内の空気が効率良く区画外に排出され、該区画内の空気の清浄化が促進される、
（ロ）前後および左右の区画間の仕切の所定箇所には貫通部が設けてあるため、テーブルや机を挟み、または隣り合い、互いに近接して着座する複数の人が、仕切に声を遮られることなく普通に会話を交わすことができる、
（ハ）一般的な高さのテーブルの前に身長約１７０ｃｍの人が座った場合に、顔の下半分まで覆うことができる仕切の高さは卓上約４５ｃｍであるところ、この卓上空間仕切装置では、各区画間の仕切に設けてある貫通部を、卓上面から４５ｃｍ以上の位置に設けているため、同じテーブルに着座する複数の人同士が会話することなどで生ずる唾液の飛沫を、隣接する区画に入り込み難くすることができ、
これら（イ）、（ロ）、（ハ）の相乗作用として、テーブルや机を挟み、または隣り合い、互いに近接して着座する複数の人が、マスクを着用せず普通に会話や喫食を行う場合でも、唾液に含まれる細菌やウィルスの飛沫感染や空気感染を防ぐことができる。
【００２８】
（ｂ）本願の第２の発明
本願の第２の発明では、上記（ａ）に記載の効果に加えて、以下のような特有の効果が得られる。即ち、この発明では、上記卓上空間仕切装置を屋内で使用されるものとし、さらに上記換気手段を、区画内の空気を屋内の区画外に排出する、ＨＥＰＡフィルタを備えた換気扇としているので、区画内から屋内の区画外に排出される空気は、該ＨＥＰＡフィルタによって細菌やウィルスが取り除かれた清浄なものとされる。したがって、この卓上空間仕切装置を、閉鎖性の高い飲食店やオフィス等の屋内で使用する場合には、屋内全体の空気が徐々に清浄化され、該屋内における細菌やウィルスの飛沫感染、空気感染が抑制される。
【００２９】
（ｃ）本願の第３の発明
（ｃ−１）本願の第３の発明では、上記（ａ）に記載の効果に加えて、以下のような特有の効果が得られる。即ち、この発明では、上記卓上空間仕切装置を屋内で使用されるものとし、さらに上記換気手段を、ダクトを介して区画内の空気を屋外に排出する換気扇としているので、各区画内の細菌やウィルスを含む唾液飛沫が上記ダクトを介して屋外に排出されることから、屋内の空気の汚染を防ぐことができ、延いては、屋内における飛沫感染、空気感染の抑制に寄与できる。
【００３０】
（ｃ−２）また、上記換気手段を、ダクトを介して区画内の空気を屋外に排出する、ＨＥＰＡフィルタを備えた換気扇とした場合には、各区画内の空気は、これに含まれる細菌やウィルスを含む唾液飛沫がＨＥＰＡフィルタにおいて捕捉除去されて清浄空気となった後、屋外に排出されることから、屋内空気の汚染の防止とともに、屋外空気の汚染も防止される。
【００３１】
（ｄ）本願の第４の発明
（ｄ−１）本願の第４の発明では、卓上の空間を着座位置ごとに仕切って区画を形成するとともに、各区画の左右両側面、前面および上面に、板材またはシート材からなる仕切を備えた簡単な構造であることから、該卓上空間仕切装置のテーブルや机の卓上への設置、及び該卓上からの撤収が容易であり、特にウィルス感染症の発生状況に応じて上記卓上空間仕切装置を設置したり、撤収したりする場合にはその効果はより顕著となる。
【００３２】
（ｄ−２）また、この卓上空間仕切装置では、
（イ）卓上の空間を着座位置ごとに、その左右両側面、前面および上面に、板材またはシート材からなる仕切を設けて区画を形成し、さらに、区画外の空気を区画内に導入する換気手段が設けてあるため、各区画外の空気を効率良く区画内に導入して該区画内の空気の清浄化を図ることができる、
（ロ）前後および左右の区画間の仕切の所定箇所には貫通部が設けてあるため、テーブルや机を挟み、または隣り合い、互いに近接して着座する複数の人が、仕切に声を遮られることなく普通に会話を交わすことができる、
（ハ）一般的な高さのテーブルの前に身長約１７０ｃｍの人が座った場合に、顔の下半分まで覆うことができる仕切の高さは卓上約４５ｃｍであるところ、この卓上空間仕切装置では、各区画間の仕切に設けてある貫通部を、卓上面から４５ｃｍ以上の位置に設けているため、同じテーブルに着座する複数の人同士が会話することなどで生ずる唾液の飛沫を、隣接する区画に入り込み難くすることができ、
これら（イ）、（ロ）、（ハ）の相乗作用として、テーブルや机を挟み、または隣り合い、互いに近接して着座する複数の人が、マスクを着用せず普通に会話や喫食を行う場合でも、唾液に含まれる細菌やウィルスの飛沫感染や空気感染を防ぐことができる。
【００３３】
（e）本願の第５の発明
（e−１）本願の第５の発明では、上記（ｄ）に記載の効果に加えて、以下のような特有の効果が得られる。即ち、この発明では、上記卓上空間仕切装置を屋内で使用するものとし、さらに上記換気手段を、屋内の区画外の空気を区画内に導入する、ＨＥＰＡフィルタを備えた換気扇としているため、屋内の区画外の空気は、それに含まれている細菌やウィルスが上記ＨＥＰＡフィルタによって取り除かれた清浄な吸気として区画内に導入される。このため、該区画内の汚染飛沫が含まれた空気は、この吸気によって次第に希釈されて徐々に清浄化される。さらに、該区画内の清浄化された空気は、区画外へ流れ出ることから、区画外における飛沫感染、空気感染が抑制される。したがって、この卓上空間仕切装置を、閉鎖性の高い飲食店やオフィス等の屋内で使用する場合には、屋内全体の空気が徐々に清浄化され、該屋内における細菌やウィルスの飛沫感染、空気感染が抑制される。
【００３４】
（ｆ）本願の第６の発明
（ｆ−１）本願の第６の発明では、上記（ｄ）に記載の効果に加えて、以下のような特有の効果が得られる。即ち、この発明では、上記卓上空間仕切装置を屋内で使用されるものとし、さらに上記換気手段を、ダクトを介して屋外の空気を区画内に導入する換気扇としているため、屋外の空気が、細菌やウィルスによる汚染の無い清浄な空気として区画内に導入され、さらに該区画内から区画外へ流出拡散することで、屋内空気全体の清浄化が促進され、その結果、屋内の区画内及び区画外における細菌やウィルスの飛沫感染、空気感染が抑制される。
【００３５】
（ｆ−２）また、上記換気手段を、ダクトを介して屋外の空気を屋内の区画内に導入する、ＨＥＰＡフィルタを備えた換気扇とした場合には、屋外の空気は、例えこれに細菌やウィルスが含まれていたとしても、これがＨＥＰＡフィルタにおいて捕捉除去されて清浄空気となった後に、屋内の区画内に導入され、さらに区画外へ拡散することから、該区画内及び区画外の空気の清浄化が促進され、延いては、区画内及び区画外における飛沫感染、空気感染が抑制される。
【図面の簡単な説明】
【００３６】
【図１】本願発明の第1の実施形態に係る卓上空間仕切装置における着座状態の説明図である。
【図２】本願発明の第1の実施形態における卓上空間仕切装置の分解斜視図である。
【図３】上記第１の実施形態における卓上空間仕切装置のテーブルへの設置状態を示す斜視図である。
【図４】本願発明の第２の実施形態に係る卓上空間仕切装置の斜視図である。
【図５】本願発明の第３の実施形態に係る卓上空間仕切装置の斜視図である。
【図６】本願発明の第４の実施形態に係る卓上空間仕切装置における着座状態の説明図である。
【図７】本願発明の第４の実施形態における卓上空間仕切装置の分解斜視図である。
【図８】上記第４の実施形態における卓上空間仕切装置のテーブルへの設置状態を示す斜視図である。
【図９】本願発明の第５の実施形態に係る卓上空間仕切装置の斜視図である。
【図１０】本願発明の第６の実施形態に係る卓上空間仕切装置の斜視図である。
【図１１】本願発明の第７の実施形態に係る卓上空間仕切装置における着座状態の説明図である。
【図１２】本願発明の第７の実施形態における卓上空間仕切装置の分解斜視図である。
【図１３】上記第７の実施形態における卓上空間仕切装置のテーブルへの設置状態を示す斜視図である。
【図１４】本願発明の第８の実施形態に係る卓上空間仕切装置の斜視図である。
【図１５】本願発明の第９の実施形態に係る卓上空間仕切装置の斜視図である。
【発明を実施するための形態】
【００３７】
以下においては、本願発明に係る卓上空間仕切装置を実施形態に基づいて説明するが、ここでは卓上空間仕切装置によって仕切られる区画が前後方向に隣接する対面タイプと、卓上空間仕切装置によって仕切られる区画が左右方向に隣接する横並びタイプと、卓上空間仕切装置によって仕切られる区画が前後方向と左右方向に隣接する対面・横並びタイプを想定している。そして、対面タイプの実施形態として第１実施形態〜第３実施形態を、横並びタイプの実施形態として第４実施形態〜第６実施形態を、さらに対面・横並びタイプの実施形態として第７実施形態〜第９実施形態を、それぞれ設定しており、これら各実施形態を順次説明する。
【００３８】
「第１実施形態」
図１は、この第１実施形態に係る卓上空間仕切装置Ｚ１とこれが設置されるテーブルＸ１における人の着座位置との関係を示すもので、人Ｍ１と人Ｍ２がテーブルＸ１を挟んで対面して着座する対面タイプの卓上空間仕切装置であることを示している。
【００３９】
なお、この第１実施形態、及び後述の第２実施形態、第３実施形態は、共に図１に示す卓上空間仕切装置Ｚ１を基本とするものであるため、以下においては、第１実施形態の卓上空間仕切装置には符号「Ｚ１１」を、第２実施形態の卓上空間仕切装置には符号「Ｚ１２」を、第３実施形態の卓上空間仕切装置には符号「Ｚ１３」を、それぞれ付して区別する。
【００４０】
「卓上空間仕切装置Ｚ１１の構造」
図２には、上記卓上空間仕切装置Ｚ１１を示している。この卓上空間仕切装置Ｚ１１は、フレーム１と、該フレーム１に装着される仕切アセンブリＹ１を備えて構成される。
【００４１】
「フレーム１」
上記フレーム１は、例えば、矩形断面で且つその４面にはそれぞれ溝が設けられたアルミ引き抜き型材を組み合わせて形成されるもので、略平行に配置された左右一対の第１フレーム１１と、該一対の第１フレーム１１の略中央位置同士を連結する第２フレーム１２と、上記各第１フレーム１１の略中央位置にそれぞれ立設された左右一対の第３フレーム１３と、該一対の第３フレーム１３の上端に、上記第１フレーム１１と略平行に取り付けられた左右一対の第４フレーム１４と、所定間隔で平行配置され且つ上記左右一対の第４フレーム１４同士を連結する前後一対の第５フレーム１５によって略矩形枠状に形成されている。なお、図示の便宜上、フレームの４面に設けられた溝の図示は省略している。
【００４２】
なお、上記各フレーム１１〜１５の素材としてアルミ引き抜き型材を用いたのは、主として軽量性、強度性能、及び溝を利用した仕切の固定性を勘案した結果であるが、これに限られず、例えば、樹脂製型材、木製型材等を用いることも可能である。
【００４３】
さらに、この実施形態のフレーム１においては、その全高を９００ｍｍ程度としている。また上記第１フレーム１１の長さ寸法は、上記卓上空間仕切装置Ｚ１１が設置されるテーブルＸ１の卓５４の奥行寸法に略対応し、さらに上記左右一対の第１フレーム１１間の間隔は、該卓５４の幅寸法に略対応している。そして、上記第１フレーム１１の前後両端部の外面側には、上記卓５４との位置決め及びズレ規制用の固定材６がそれぞれ設けられている。
【００４４】
一方、上記フレーム１の上記一対の第５フレーム１５の中央部には、該各第５フレーム１５間に跨って固定板５が固定されている。この固定板５の略中央位置には貫通孔（図示省略）が設けられており、この貫通孔に嵌挿状態で、ＨＥＰＡフィルタ（図示省略）と、次亜塩素酸などの殺菌剤を添加した水溶液を噴霧するミスト噴霧器（図示省略）を備えた換気扇４が固定されている。なお、この換気扇４としては、上記フレーム１の内側の空気を上方へ排出させる排気用換気扇４と、該フレーム１の内側へ空気を導入する吸気用換気扇４が適用可能であるが、この実施形態では排気用換気扇４を備えるものとして説明する。また、換気扇４として吸気用換気扇４を採用した場合については、別途説明をする。
【００４５】
ここで、ＨＥＰＡフィルタを備えた上記換気扇４の仕様等について簡単に説明する。
換気扇４は、排気能力４０ｍ３／ｈのものを、２区画に対して１機設置することを基本とする。この実施形態の場合は、対象区画が２区画であるから換気扇４を１機設置してある。  
換気扇４は、その下部（吸込側）に、交換可能なＨＥＰＡフィルタを備えている。  
ＨＥＰＡフィルタ (High Efficiency Particulate Air Filter) とは、空気中から塵埃、および細菌やウィルスを含む唾液飛沫などを取り除き、空気を清浄化するエアフィルタの一種であり、日本工業規格ＪＩＳ Ｚ ８１２２によって、「定格風量で粒径が０．３μｍの粒子に対して９９．９７％以上の粒子捕集率をもち、かつ初期圧力損失が２４５Ｐａ以下の性能を持つエアフィルタ」と規定されている。
【００４６】
「仕切アセンブリＹ１」
上記仕切アセンブリＹ１は、厚さ３ｍｍの無色透明のＰＥＴ製板材を用いて形成されるもので、上記フレーム１の左右両面をそれぞれ覆う２枚の側面仕切１６と、上記フレーム１の上面を覆う天面仕切１７と、上記フレーム１の左右一対の第３フレーム１３と上記第２フレーム１２の三者間に跨って設置される前面仕切１８を備えて構成される。
【００４７】
この実施形態では、上記各仕切１６，１７，１８を個別に形成し、且つその周縁部を上記各フレームの溝に嵌挿して固定する、ビスにて固定する、接着材を用いて固定するなど、種々の固定方法によって固定している。しかし、これら各仕切１６，１７，１８は、必ずしも全て個別に形成する必要はなく、例えば、その端縁が連続している一対の側面仕切１６と天面仕切１７の３枚についてはこれを連続した展開状態に形成し、使用に際しては連続部分を折曲して上記フレーム１に取り付けることもできる。さらに、上記天面仕切１７は、その前後の縁部１７aを、横長凹状に切り欠いて、テーブルＸ１に着座する人との干渉を回避するようにしている。
【００４８】
一方、上記前面仕切１８は、上記フレーム１に固定した状態において、その上縁１８ａの上記フレーム１の底面からの高さが６０ｃｍとなるように寸法が設定されており、該前面仕切１８の上縁１８ａとその上側に位置する上記天面仕切１７の下面との間には高さ約３０ｃｍの横長矩形の開口で成る貫通部１９が形成されている。
【００４９】
この前面仕切１８の高さ寸法は、飛沫感染防止の観点から、上記卓上空間仕切装置Ｚ１１が載置されるテーブルＸ1における卓５４の高さ（設置板５５に立設した脚５６の上端に卓５４が設けられた一般的なテーブルの場合は７０ｃｍ）と、平均的な人（男性）の背丈（身長１７０ｃｍ）に応じて設定される。即ち、上記前面仕切１８の上縁１８aの高さは、人がテーブルに備えられた椅子に着座した状態において、その着座者の鼻の高さ位置（約４５ｃｍ）以上の高さに設定すべきとするが（着座者の鼻部分が上記前面仕切１８によって覆われるような高さ寸法）、この実施形態ではさらに余裕をみて、前面仕切１８の上縁１８ａの高さを６０ｃｍに設定している。このように、前面仕切１８の上縁１８ａの高さを６０ｃｍに設定した場合には、着座者の背丈が基準背丈から多少ずれていても、着座者の鼻の位置は前面仕切１８の上縁１８ａよりも下側に位置し、該鼻部分が上記前面仕切１８によって確実に覆われるため、該前面仕切１８の向こう側に居る人からの唾液飛沫を吸引するのが可及的に防止されることになる。
【００５０】
なお、この実施形態では、上記貫通部１９を矩形開口で構成しているが、これに限定されるものではなく、該貫通部１９は、要するに、この貫通部１９を挟んでその両側に位置する区画間において無理なく会話ができる程度に声が通るだけの面積があれば良く、その形体には制約はない。
【００５１】
また、図３に示すように、上記卓上空間仕切装置Ｚ１１を上記テーブルＸ1の卓５４上に載置した状態においては、上記前面仕切１８によって、上記卓５４上の空間が前後二つの空間、即ち、卓上空間Ｓ１と卓上空間Ｓ２に、区画される（これら卓上空間Ｓ１と卓上空間Ｓ２が特許請求の範囲でいう「区画」に相当する）。そして、この貫通部１９は、上記テーブルＸ1を挟んで、一方の卓上空間Ｓ１側に着座した人Ｍ１と他方の卓上空間Ｓ２側に着座した人Ｍ２（図１参照）が会話する場合における音声伝達路として機能する他に、例えば、これら両者間での書類等の受け渡し用スペースとしても機能するものである。
【００５２】
しかし、上記貫通部１９を書類等の受け渡しスペースとして利用する場合には、該貫通部１９の位置が高いため、受渡す物によっては使用しづらいということもあり得る。これに対処する方法としては、例えば、上記前面仕切１８の下縁部に横長の開口部を設けてこれを書類等の受け渡しスペースとして使用することもできる。ところが、このように上記前面仕切１８の下縁部に開口部を設けた場合、この開口部が大きいと、この開口部が卓上空間Ｓ１側と卓上空間Ｓ２側の間における唾液飛沫の移動経路となり、この卓上空間仕切装置Ｚ１１を設ける意義が損なわれ、好ましくない。そこで、例えば、上記前面仕切１８の下縁部に形成した開口部が大きい場合には、該開口部に開閉自在の遮蔽蓋を取り付け、物品の受け渡し時のみ該遮蔽蓋を開き、それ以外の場合には該遮蔽蓋を閉保持するようにすれば、物品受渡し時の利便性と唾液飛沫の防止効果を両立させることができる。
【００５３】
なお、この実施形態では、上記貫通部１９は会話する場合の音声伝達路として機能する他に、書類等の受け渡しスペースとしても機能する、との前提のもとで、該貫通部１９を矩形開口で構成しているが、例えば、この貫通部１９には書類等の受け渡しスペースとしての機能はもたせないのであれば、該貫通部１９を、例えば、多数の小孔群とか、多数のスリット群、あるいは多数の小孔群とスリット群の組み合わせによって構成することも可能である。
【００５４】
また、この実施形態では上記仕切アセンブリＹ１を無色透明のＰＥＴ製板材を用いて形成しているが、これに限定されるものではなく、例えば、アクリル樹脂や硬質ポリ塩化ビニル樹脂等の板材を用いて形成することも可能である。また板材の色については、会話する相手の視認性や区画内の明るさ確保の観点からは、無色透明であることが望ましいが、用途に応じて、有色透明や有色不透明とすることも可能である。さらに、板材の厚さは、一般に１〜５ｍｍ程度であるが、材質の強度を考慮して適宜に決定すれば良い。
【００５５】
また、上記仕切アセンブリＹ１は、上述のように各種の板材で形成する他に、例えば、板材に代えてシート材を用いることができる。  
このシート材は、帯電防止機能および防炎機能が付与された軟質のポリ塩化ビニル樹脂が好ましい。  
また、使用可能なシート材の厚さは、一般に０．０８〜１ｍｍ程度である。シート材は、フレームに対して、紐や金具等を用いて固定する。  
シート材は、各部分を個別に形成するのではなく、例えば、側面仕切１６と天面仕切１７のように、互いに隣り合う複数の面の仕切を、連続する１枚のシート材によって形成してもよい。
【００５６】
「テーブルＸ１」
ここで、上記卓上空間仕切装置Ｚ11が載置されるテーブルＸ１について説明する。
このテーブルＸ１は、所定の大きさ及び重量を持つ平板状の設置板５５と、該設置板５５の略中央に立設された脚５６と、該脚５６の上端に略水平に固定された長矩形平板状の卓５４を備えて構成される。そして、この卓５４の一対の短辺部５４ｂ、５４ｃがそれぞれ着座側となり、人Ｍ１と人Ｍ２が対面状態で着座する。なお、上記卓５４の一対の長辺部５４a、５４aは、次述のように、上記卓上空間仕切装置Ｚ１１の位置規制部として機能する。
【００５７】
「卓上空間仕切装置Ｚ１１の使用状態等」
図３には、上記テーブルＸ１の上記卓５４上に上記卓上空間仕切装置Ｚ１１を載置した状態を示している。この卓上空間仕切装置Ｚ１１の載置状態においては、上記フレーム１の第１フレーム１１の前後両端部にそれぞれ取り付けた上記固定材６が、上記卓５４の縁部５４aに掛止されることで、該卓上空間仕切装置Ｚ１１の左右方向の位置決めが行われるとともに、前後方向への移動調整が可能とされている。したがって、この卓上空間仕切装置Ｚ１１の載置状態において、これを前後方向に移動させながら位置調整することで、該卓上空間仕切装置Ｚ１１は上記テーブルＸ１の適正位置に設定される。
【００５８】
このように上記テーブルＸ１の上記卓５４上に上記卓上空間仕切装置Ｚ１１を載置した状態においては、上記フレーム１の上記前面仕切１８を挟んでその両側にそれぞれ上記側面仕切１６と天面仕切１７及び前面仕切１８によって区切られた区画が形成される。そして、この二つの区画のうち、手前側の区画における空間は第１卓上空間Ｓ１とされ、奥側の区画における空間は第２卓上空間Ｓ２とされ、上記テーブルＸ１の手前側に着座した人Ｍ１は第１卓上空間Ｓ１に臨み、上記テーブルＸ１の奥側に着座した人Ｍ２は第２卓上空間Ｓ２に臨むことになる（図１参照）。
【００５９】
上記卓上空間仕切装置Ｚ１１に備えられた上記換気扇４は、上記テーブルＸ１に人が着座した時点で、あるいは人の着座の有無にかかわらず常時、運転され、上記各第１卓上空間Ｓ１と第２卓上空間Ｓ２の空気を吸引してこれを上記卓上空間仕切装置Ｚ１１外の屋内空間に排出する排気運転を行う（図３の白抜き矢印を参照）。なお、図３の斜線矢印は、他の実施形態として、上記換気扇４が吸気用換気扇とされ、該換気扇４が吸気運転される場合の空気の流れを示したものである。
【００６０】
このような状況下において、上記テーブルＸ１の対面位置に人Ｍ１と人Ｍ２が着座して会話する場合、発声、くしゃみ、咳等に伴って、口から唾液飛沫が噴き出される。この唾液飛沫には、ウィルスとか細菌が含まれている場合がある。したがって、一般的な事象として、このようなウィルスとか細菌を含む唾液飛沫（以下、これを「汚染飛沫」という）が対面者に向けて噴き出されると、この汚染飛沫が対面者の鼻とか口から吸引され、対面者がウィルスとか細菌に感染する、いわゆる飛沫感染が発生することになる。
【００６１】
しかし、この実施形態の卓上空間仕切装置Ｚ１１においては、対面する人Ｍ１と人Ｍ２の中間位置に上記前面仕切１８が存在し、該前面仕切１８の上縁よりも上側に会話音等の伝達路となる貫通部１９が形成され、しかも上記前面仕切１８の上縁位置が、着座した人Ｍ１と人Ｍ２の鼻の位置よりもさらに高い位置に設定され、人Ｍ１と人Ｍ２の鼻と口は上記前面仕切１８によって確実に覆われた状態となっている。このため、人Ｍ１あるいは人Ｍ２から対面する人Ｍ２あるいは人Ｍ１に向けて汚染飛沫が噴き出されたとしても、この汚染飛沫は上記前面仕切１８によってその移動が規制され、対面側の卓上空間に進入することは少ない。
【００６２】
また、上記前面仕切１８によって対面側への進入が規制された汚染飛沫は、第１卓上空間Ｓ１又は第２卓上空間Ｓ２内で浮遊することになるが、この第１卓上空間Ｓ１及び第２卓上空間Ｓ２内の空気は上記換気扇４によって常時吸引されて、該第１卓上空間Ｓ１及び第２卓上空間Ｓ２外の屋内に排出されるので、該第１卓上空間Ｓ１又は第２卓上空間Ｓ２内で浮遊する汚染飛沫が上記貫通部１９を通って対面側へ流れ込むことは少ない。
【００６３】
このような上記前面仕切１８による汚染飛沫の移動規制作用と、上記換気扇４による汚染飛沫の排出作用との相乗的効果として、人Ｍ１及び人Ｍ２が飛沫感染、空気感染によってウィルスとか細菌に感染することが可及的に防止されることになる。
【００６４】
また、上記換気扇４にはＨＥＰＡフィルタが備えられているため、上記第１卓上空間Ｓ１及び第２卓上空間Ｓ２から排出される空気は、ここに含まれたウィルスとか細菌が、上記ＨＥＰＡフィルタによって除去された状態で屋内に排出されるので、屋内空気の清浄化がより促進される。
さらに、上記換気扇４にはミスト噴霧器が備えられているため、上記第１卓上空間Ｓ１及び第２卓上空間Ｓ２から排出される空気は、ここに含まれたウィルスとか細菌が、殺菌剤を添加したミストによって死滅した状態で屋内に排出されるので、屋内空気の清浄化がより促進される。
なお、上記ミスト噴霧器は、噴霧する殺菌剤が人Ｍ１及び人Ｍ２の健康に与える影響を考慮して、人Ｍ１及び人Ｍ２の両人が卓上空間仕切装置Ｚ１１の前に着座していない場合にのみ稼働するものである。
このように、係る実施形態の卓上空間仕切装置Ｚ１１は、閉鎖性の高い飲食店やオフィス等の屋内で使用する場合に好適である。
【００６５】
「吸気用換気扇を備えた場合の作用効果」
ここで、上記換気扇４が吸気用換気扇である場合における作用効果を、図３を参照して簡単に説明する。
【００６６】
図３に示すような装置構成において、上記テーブルＸ１の対面位置に人Ｍ１と人Ｍ２が着座して会話する場合、発声、くしゃみ、咳等に伴って、汚染飛沫が噴き出され、一般的な事象として、この汚染飛沫が対面者の鼻とか口から吸引され、対面者がウィルスとか細菌に感染する、いわゆる飛沫感染、空気感染が発生する恐れがあることは既述の通りである。
【００６７】
しかし、この卓上空間仕切装置Ｚ１１においては、対面する人Ｍ１と人Ｍ２の中間位置に上記前面仕切１８が存在し、人Ｍ１あるいは人Ｍ２から対面する人Ｍ２あるいは人Ｍ１に向けて汚染飛沫が噴き出されたとしても、この汚染飛沫は上記前面仕切１８によってその移動が規制され、対面する卓上空間側への進入が防止されることも既述の通りである。
【００６８】
一方、上記前面仕切１８によって対面側への移動が規制された汚染飛沫は、第１卓上空間Ｓ１又は第２卓上空間Ｓ２内で浮遊することになるが、この第１卓上空間Ｓ１及び第２卓上空間Ｓ２には、上記換気扇４によって屋内の区画外の空気が上記ＨＥＰＡフィルタを通して清浄な吸気として常時導入されていることから、上記第１卓上空間Ｓ１及び第２卓上空間Ｓ２内の汚染飛沫を含む空気は、この清浄な吸気によって次第に希釈されて清浄化される。このため、上記第１卓上空間Ｓ１又は第２卓上空間Ｓ２内で浮遊する汚染飛沫が上記貫通部１９を通って対面側へ流れ込むことが可及的に防止されることになる。
【００６９】
このような上記前面仕切１８による汚染飛沫の移動規制作用と、上記換気扇４による汚染飛沫の希釈作用との相乗的効果として、人Ｍ１及び人Ｍ２が飛沫感染、空気感染によってウィルスとか細菌に感染することが防止されることになる。
【００７０】
また、上記換気扇４からの吸気によって上記第１卓上空間Ｓ１又は第２卓上空間Ｓ２内の空気が清浄化され、これが順次屋内に流れ出すことで、屋内の清浄化が促進され、延いては屋内におけるウィルスとか細菌の空気感染が可及的に防止される。
【００７１】
「第２実施形態」
図４には、本願発明の第２実施形態に係る卓上空間仕切装置Ｚ１２を示している。この卓上空間仕切装置Ｚ１２は、その基本構造を上記第１実施形態の卓上空間仕切装置Ｚ１１と同じにし、これと異なる点は、換気扇４の排気構造である。したがって、以下においては、この相違点を中心に説明し、それ以外の部分（構成及び作用効果の説明を含む）については第１実施形態における該当説明を援用し、ここでの説明は省略する。
【００７２】
この卓上空間仕切装置Ｚ１２では、上記フレーム１の天面側に、ＨＥＰＡフィルタを備えた排気用の換気扇４を取り付けている。そして、上記第１実施形態の卓上空間仕切装置Ｚ１１においては、該換気扇４からの排気をそのまま屋内の区画外へ排出するようにしていたのに対して、この実施形態の卓上空間仕切装置Ｚ１２では、上記換気扇４の排出側をダクト７の一端に接続する一方、該ダクト７の他端側を建屋の外壁９を貫通して屋外空間に臨ませている。なお、この卓上空間仕切装置Ｚ１２では、上記換気扇４にミスト噴霧器は設けていない。
【００７３】
したがって、上記換気扇４の運転に伴い、上記第１卓上空間Ｓ１及び第２卓上空間Ｓ２内の細菌やウィルスを含む唾液飛沫、即ち、汚染飛沫が上記ダクトを介して屋外に排出されることから、屋内の空気の汚染を防ぐことができ、延いては、屋内における飛沫感染、空気感染の抑制に寄与できる。
【００７４】
また、上記換気扇４がＨＥＰＡフィルタを備えているため、上記第１卓上空間Ｓ１及び第２卓上空間Ｓ２内の空気は、これに含まれる汚染飛沫がＨＥＰＡフィルタにおいて捕捉除去されて清浄空気となった後、屋外に排出されることから、屋内空気の汚染防止と同時に、屋外空気の汚染も防止される。
【００７５】
「第３実施形態」
図５には、本願発明の第３実施形態に係る卓上空間仕切装置Ｚ１３を示している。この卓上空間仕切装置Ｚ１３は、上記第２実施形態の卓上空間仕切装置Ｚ１２の変形例と位置付けられるものであって、該第２実施形態の卓上空間仕切装置Ｚ１２とは上記ダクト７の構造が異なるもので、その他の構成等は、上記第１実施形態の卓上空間仕切装置Ｚ１１及び第２実施形態の卓上空間仕切装置Ｚ１２と同様である。したがって、以下においては、その相違点を中心に説明をし、それ以外の部分については、第１実施形態及び第２実施形態の該当説明を援用し、ここでの説明を省略する。
【００７６】
上記卓上空間仕切装置Ｚ１３は、上記フレーム１と、該フレーム１を覆う仕切アセンブリＹ１で構成される。そして、該フレーム１の天面側には、貫通孔５aを備えた固定板５が取り付けられている。上記第２実施形態の卓上空間仕切装置Ｚ１２においては、この固定板５には換気扇４が取り付けられるとともに、該換気扇４の排出口側を覆うようにして上記ダクト７の一端が取り付けられ、該換気扇４の排気作用を利用して、上記第１卓上空間Ｓ１及び第２卓上空間Ｓ２内の空気を、上記ダクト７を介して屋外へ排出するようにしていた。
【００７７】
しかし、この実施形態の卓上空間仕切装置Ｚ１３においては、上記固定板５の貫通孔５aに上記換気扇４を取り付けることなく、上記ダクト７の一端を直接接続している。また、上記ダクト７の他端部は、建屋の外壁９を貫通して屋外に臨むとともに、上記外壁９の貫通部の直上流位置には他の卓上空間仕切装置Ｚ１３から延びるダクト３１の下流端が接続され、さらに上記外壁９の貫通部と上記ダクト３１の接続部の中間位置には、ＨＥＰＡフィルタを備えた排気用の換気扇８が取り付けられている。即ち、この実施形態の卓上空間仕切装置Ｚ１３は、複数の卓上空間仕切装置Ｚ１３側の空気を、単一の上記換気扇８の吸引排出作用を利用して屋外へ排出できるようにしたものである。なお、この卓上空間仕切装置Ｚ１３では、上記換気扇４にミスト噴霧器は設けていない。
【００７８】
係る構成の卓上空間仕切装置Ｚ１３によれば、上記第２実施形態の卓上空間仕切装置Ｚ１２と同様に、
（イ）上記換気扇８の運転に伴い、上記第１卓上空間Ｓ１及び第２卓上空間Ｓ２内の細菌やウィルスを含む唾液飛沫が上記ダクトを介して屋外に排出されることから、屋内の空気の汚染を防ぐことができ、延いては、屋内における飛沫感染、空気感染の抑制に寄与できる、
【００７９】
（ロ）上記換気扇４がＨＥＰＡフィルタを備えているので、上記第１卓上空間Ｓ１及び第２卓上空間Ｓ２内の空気は、これに含まれる汚染飛沫がＨＥＰＡフィルタにおいて捕捉除去されて清浄空気となった後、屋外に排出されることから、屋内空気の汚染防止と同時に、屋外空気の汚染も防止される、
という効果が得られる。
【００８０】
さらに、上記効果に加えて、以下のような特有の効果も得られる。即ち、この卓上空間仕切装置Ｚ１３では、同じ屋内に設置された複数の卓上空間仕切装置Ｚ１３からの排気を一機の換気扇８によって同時に行えることから、例えば、複数の卓上空間仕切装置Ｚ１３のそれぞれにダクト７及び換気扇８を備える場合に比して、装置構造が簡単で且つコンパクトとなり、経済的である。
【００８１】
また、同じ屋内に設置された複数の卓上空間仕切装置Ｚ１３のそれぞれにおける排気作用が同じであることから、屋内全体として空気の清浄化が促進され、屋内におけるウィルスとか細菌による飛沫感染、空気感染が可及的に抑制される。
【００８２】
「第４実施形態」
図６は、この第４実施形態に係る卓上空間仕切装置Ｚ２とこれが設置されるテーブルＸ２における人の着座位置との関係を示すもので、人Ｍ１と人Ｍ２が横長のテーブルＸ２の一方の長辺側に横並び状態で着座する横並びタイプの卓上空間仕切装置であることを示している。
【００８３】
なお、この第４実施形態、及び後述の第５実施形態、第６実施形態は、共に図６に示す卓上空間仕切装置Ｚ２を基本とするものであるため、以下においては、第４実施形態の卓上空間仕切装置には符号「Ｚ２１」を、第５実施形態の卓上空間仕切装置には符号「Ｚ２２」を、第６実施形態の卓上空間仕切装置には符号「Ｚ２３」を、それぞれ付して区別するものとする。
【００８４】
「卓上空間仕切装置Ｚ２１の構造」
図７には、上記卓上空間仕切装置Ｚ２１を示している。この卓上空間仕切装置Ｚ２１は、フレーム２と、該フレーム２に装着される仕切アセンブリＹ２を備えて構成される。
【００８５】
「フレーム２」
上記フレーム２は、例えば、矩形断面で且つその４面にはそれぞれ溝が設けられたアルミ引き抜き型材を組み合わせて形成されるもので、略平行に配置された左右一対の第１フレーム２０と、該一対の第１フレーム２０の一端部同士を連結する第２フレーム２１と、上記一対の第１フレーム２０の一端部と他端部にそれぞれ立設された第３フレーム２２と、上記前後一対の第３フレーム２２の上端に上記第１フレーム２０と略平行に向けて取り付けられた左右一対の第４フレーム２３と、該一対の第４フレーム２３同士を連結する前後一対の第５フレーム２４と、上記第２フレーム２１の中間位置と上記第５フレーム２４の中間位置を連結する第６フレーム２５によって、略矩形枠状に形成されている。なお、図示の便宜上、フレームの４面に設けられた溝の図示は省略している。
【００８６】
なお、上記各フレーム２０〜２５の素材としてアルミ引き抜き型材を用いたのは、主として軽量性、強度性能、及び溝を利用した仕切の固定性を勘案した結果であるが、これに限られず、例えば、樹脂製型材、木製型材等を用いることも可能である。
【００８７】
さらに、この実施形態のフレーム２においては、その全高を９００ｍｍ程度としている。また上記第１フレーム２０の長さ寸法は、上記卓上空間仕切装置Ｚ２１が設置されるテーブルＸ２の卓５４の奥行寸法より所定寸法だけ短く設定されている。さらに、左右一対の第１フレーム２０間の間隔は、該卓５４の幅寸法に略対応している。そして、上記第１フレーム２０の前後両端部の外面側には、上記卓５４との位置決め及びズレ規制用の固定材６がそれぞれ設けられている。
【００８８】
一方、上記フレーム２の上記一対の第５フレーム２４の中央部には、固定板５が固定されている。この固定板５の略中央位置には貫通孔（図示省略）が設けられており、この貫通孔に嵌挿状態で、ＨＥＰＡフィルタ（図示省略）と、次亜塩素酸などの殺菌剤を添加した水溶液を噴霧するミスト噴霧器（図示省略）を備えた換気扇４が固定されている。なお、この換気扇４としては、上記フレーム２の内側の空気を上方へ排出させる排気用換気扇４と、該フレーム２の内側へ空気を導入する吸気用換気扇４が適用可能であるが、この実施形態では排気用換気扇４を備えるものとして説明する。また、換気扇４として吸気用換気扇４を採用した場合については、別途説明をする。
【００８９】
ここで、ＨＥＰＡフィルタを備えた上記換気扇４の仕様等について簡単に説明する。
換気扇４は、排気能力４０ｍ３／ｈのものを、２区画に対して１機設置することを基本とする。この実施形態の場合は、対象区画が２区画であるから換気扇４を１機設置してある。  また、換気扇４は、その下部（吸込側）に、交換可能なＨＥＰＡフィルタを備えている。  
【００９０】
「仕切アセンブリＹ２」
上記仕切アセンブリＹ２は、厚さ３ｍｍの無色透明のＰＥＴ製板材を用いて形成されるもので、上記フレーム２の左右両面をそれぞれ覆う２枚の側面仕切２６と、上記フレーム２の上面を覆う天面仕切２７と、上記第２フレーム２１と左右一対の上記第３フレーム２２と上記第５フレーム２４の三者間に跨って設置される前面仕切２８と、上記第６フレーム２５の手前側に配置される中間仕切２９を備えて構成される。
【００９１】
この実施形態では、上記各仕切２６，２７，２８をそれぞれ個別に形成し、且つその周縁部を上記各フレームの溝に嵌挿して固定する、ビスにて固定する、接着材を用いて固定するなど、種々の固定方法によって固定している。しかし、これら各仕切２６，２７，２８は、必ずしも全て個別に形成する必要はなく、例えば、その端縁が連続している一対の側面仕切２６と天面仕切２７の３枚についてはこれを連続した展開状態に形成し、使用に際しては連続部分を折曲して上記フレーム２に取り付けることもできる。さらに、上記天面仕切２７は、その前縁部２７aを、横長凹状に切り欠いて、テーブルＸ２に着座する人との干渉を回避するようにしている。
【００９２】
一方、上記中間仕切２９は、その上縁２９aの上記フレーム２の底面からの高さが６０ｃｍとなるように寸法が設定されており、該中間仕切２９の上縁２９ａとその上側に位置する上記天面仕切２７の下面との間には高さ約３０ｃｍの横長凹部状の開口で成る貫通部３０が形成されている。
【００９３】
この中間仕切２９の高さ寸法は、飛沫感染防止の観点から、上記卓上空間仕切装置Ｚ２１が載置されるテーブルＸ２における卓５４の高さ（設置板５５に立設した脚５６の上端に卓５４が設けられた一般的なテーブルの場合は７０ｃｍ）と、平均的な人（男性）の背丈（身長１７０ｃｍ）に応じて設定される。即ち、上記中間仕切２９の上縁２９aの高さは、人がテーブルに備えられた椅子に着座した状態において、その着座者の鼻の高さ位置（約４５ｃｍ）以上の高さに設定すべきとするが（着座者の鼻部分が上記中間仕切２９によって覆われるような高さ寸法）、この実施形態ではさらに余裕をみて、中間仕切２９の上縁２９ａの高さを６０ｃｍに設定している。このように、中間仕切２９の上縁２９ａの高さを６０ｃｍに設定した場合には、着座者の背丈が基準背丈から多少ずれていても、着座者の鼻の位置は中間仕切２９の上縁２９ａよりも下側に位置し、該鼻部分が上記中間仕切２９によって確実に覆われるため、該中間仕切２９の向こう側に居る人からの汚染飛沫を吸引するのが可及的に防止されることになる。
【００９４】
なお、この実施形態では、上記貫通部３０を横長凹部状の開口で構成しているが、これに限定されるものではなく、該貫通部３０は、要するに、この貫通部３０を挟んでその両側に位置する区画間において無理なく会話ができる程度に声が通るだけの面積があれば良く、その形体には制約はない。例えば、上記貫通部３０を、多数の小孔群とか、多数のスリット群、あるいは多数の小孔群とスリット群の組み合わせによって構成することも可能である。
【００９５】
また、この実施形態では上記仕切アセンブリＹ２を無色透明のＰＥＴ製板材を用いて形成しているが、これに限定されるものではなく、例えば、アクリル樹脂や硬質ポリ塩化ビニル樹脂等の板材を用いて形成することも可能である。また板材の色については、会話する相手の視認性や区画内の明るさ確保の観点からは、無色透明であることが望ましいが、用途に応じて、有色透明や有色不透明とすることも可能である。さらに、板材の厚さは、一般に１〜５ｍｍ程度であるが、材質の強度を考慮して適宜に決定すれば良い。
【００９６】
また、上記仕切アセンブリＹ２は、上述のように各種の板材で形成する他に、例えば、板材に代えてシート材を用いることができる。  
このシート材は、帯電防止機能および防炎機能が付与された軟質のポリ塩化ビニル樹脂が好ましい。  
また、使用可能なシート材の厚さは、一般に０．０８〜１ｍｍ程度である。シート材は、フレームに対して、紐や金具等を用いて固定する。  
シート材は、各部分を個別に形成するのではなく、例えば、側面仕切２６と天面仕切２７のように、互いに隣り合う複数の面の仕切を、連続する１枚のシート材によって形成してもよい。
【００９７】
「テーブルＸ２」
ここで、上記卓上空間仕切装置Ｚ２１が載置されるテーブルＸ２について説明する。
このテーブルＸ２は、所定の大きさ及び重量を持つ平板状の設置板５５と、該設置板５５の略中央に立設された脚５６と、該脚５６の上端に略水平に固定された長矩形平板状の卓５４を備えて構成される。そして、この卓５４の手前側の長辺部５４ｂが着座側となり、人Ｍ１と人Ｍ２が横並び状態で着座する。なお、上記卓５４の一対の短辺部５４a、５４aは、次述のように、上記卓上空間仕切装置Ｚ２１の位置規制部として機能する。
【００９８】
「卓上空間仕切装置Ｚ２１の使用状態等」
図８には、上記テーブルＸ２の上記卓５４上に上記卓上空間仕切装置Ｚ２１を載置した状態を示している。この卓上空間仕切装置Ｚ２１の載置状態においては、上記フレーム２の第１フレーム２０の前後両端部にそれぞれ取り付けた上記固定材６が、上記卓５４の縁部５４aに掛止されることで、該卓上空間仕切装置Ｚ２１の左右方向の位置決めが行われるとともに、前後方向への移動調整が可能とされている。したがって、この卓上空間仕切装置Ｚ２１の載置状態において、これを前後方向に移動させながら位置調整することで、該卓上空間仕切装置Ｚ２１は上記テーブルＸ２の適正位置に設定される。
【００９９】
このように上記テーブルＸ２の上記卓５４上に上記卓上空間仕切装置Ｚ２１を載置した状態においては、上記中間仕切２９を挟んでその両側に、それぞれ上記側面仕切２６と上記天面仕切２７と前面仕切２８及び中間仕切２９の三者で区切られた区画が形成される。そして、この二つの区画のうち、向かって左側の区画における空間は第１卓上空間Ｓ１とされ、向かって右側の区画における空間は第２卓上空間Ｓ２とされ、上記テーブルＸ２に向かって左側に着座した人Ｍ１は第１卓上空間Ｓ１に臨み、上記テーブルＸ２に向かって右側に着座した人Ｍ２は第２卓上空間Ｓ２に臨むことになる（図６参照）。
【０１００】
上記卓上空間仕切装置Ｚ２１に備えられた上記換気扇４は、上記テーブルＸ２に人が着座した時点で、あるいは人の着座の有無にかかわらず常時、運転され、上記各第１卓上空間Ｓ１と第２卓上空間Ｓ２の空気を吸引してこれを上記卓上空間仕切装置Ｚ２１外の屋内空間に排出する排気運転を行う（図８の白抜き矢印を参照）。なお、図８の斜線矢印は、他の実施形態として、上記換気扇４が吸気用換気扇とされ、該換気扇４が吸気運転される場合の空気の流れを示したものである。
【０１０１】
このような状況下において、上記テーブルＸ１の横並び位置に人Ｍ１と人Ｍ２が着座して会話する場合、発声、くしゃみ、咳等に伴って、口から唾液飛沫が噴き出される。この唾液飛沫には、ウィルスとか細菌が含まれている場合がある。したがって、一般的な事象として、このようなウィルスとか細菌を含む汚染飛沫が対話者に向けて噴き出されると、この汚染飛沫が対話者の鼻とか口から吸引され、対話者がウィルスとか細菌に感染する、いわゆる飛沫感染が発生することになる。
【０１０２】
しかし、この実施形態の卓上空間仕切装置Ｚ２１においては、横並びに対面する人Ｍ１と人Ｍ２の中間位置に上記中間仕切２９が存在し、該中間仕切２９の上縁よりも上側に会話音等の伝達路となる貫通部３０が形成され、しかも上記中間仕切２９の上縁２９aが、着座した人Ｍ１と人Ｍ２の鼻の位置よりもさらに高い位置に設定され、人Ｍ１と人Ｍ２の鼻と口は上記中間仕切２９によって確実に覆われた状態となっている。このため、人Ｍ１あるいは人Ｍ２から横並び状態にある人Ｍ２あるいは人Ｍ１に向けて汚染飛沫が噴き出されたとしても、この汚染飛沫は上記中間仕切２９によってその移動が規制され、隣接する卓上空間に進入することは少ない。
【０１０３】
また、上記中間仕切２９によって横並びする他の卓上空間対面側への進入が規制された汚染飛沫は、第１卓上空間Ｓ１又は第２卓上空間Ｓ２内で浮遊することになるが、この第１卓上空間Ｓ１及び第２卓上空間Ｓ２内の空気は上記換気扇４によって常時吸引されて、該第１卓上空間Ｓ１及び第２卓上空間Ｓ２外の屋内に排出されるので、該第１卓上空間Ｓ１又は第２卓上空間Ｓ２内で浮遊する汚染飛沫が上記貫通部３０を通って上記第２卓上空間Ｓ２又は上記第１卓上空間Ｓ１側へ流れ込むことは少ない。
【０１０４】
このような上記中間仕切２９による汚染飛沫の移動規制作用と、上記換気扇４による汚染飛沫の排出作用との相乗的効果として、人Ｍ１及び人Ｍ２が飛沫感染、空気感染によってウィルスとか細菌に感染することが可及的に防止されることになる。
【０１０５】
また、上記換気扇４にはＨＥＰＡフィルタが備えられているため、上記第１卓上空間Ｓ１及び第２卓上空間Ｓ２から排出される空気は、ここに含まれたウィルスとか細菌が、上記ＨＥＰＡフィルタによって除去された状態で屋内に排出されるので、屋内空気の清浄化がより促進される。
さらに、上記換気扇４にはミスト噴霧器が備えられているため、上記第１卓上空間Ｓ１及び第２卓上空間Ｓ２から排出される空気は、ここに含まれたウィルスとか細菌が、殺菌剤を添加したミストによって死滅した状態で屋内に排出されるので、屋内空気の清浄化がより促進される。
なお、上記ミスト噴霧器は、噴霧する殺菌剤が人Ｍ１及び人Ｍ２の健康に与える影響を考慮して、人Ｍ１及び人Ｍ２の両人が卓上空間仕切装置Ｚ２１の前に着座していない場合にのみ稼働するものである。
このように、係る実施形態の卓上空間仕切装置Ｚ２１は、閉鎖性の高い飲食店やオフィス等の屋内で使用する場合に好適である。
【０１０６】
「吸気用換気扇を備えた場合の作用効果」
ここで、上記換気扇４が吸気用換気扇である場合における作用効果を、図８を参照して簡単に説明する。
【０１０７】
図８に示すような装置構成において、上記テーブルＸ２の横並び位置に人Ｍ１と人Ｍ２が着座して会話する場合、発声、くしゃみ、咳等に伴って、汚染飛沫が噴き出され、一般的な事象として、この汚染飛沫が対話者の鼻とか口から吸引され、対話者がウィルスとか細菌に感染する、いわゆる飛沫感染、空気感染が発生する恐れがあることは既述の通りである。
【０１０８】
しかし、この卓上空間仕切装置Ｚ２１においては、横並びに対面する人Ｍ１と人Ｍ２の中間位置に上記中間仕切２９が存在し、人Ｍ１あるいは人Ｍ２から対話する人Ｍ２あるいは人Ｍ１に向けて汚染飛沫が噴き出されたとしても、この汚染飛沫は上記中間仕切２９によってその移動が規制され、横並びする卓上空間側への進入が防止されることも既述の通りである。
【０１０９】
一方、上記中間仕切２９によって横並び側への移動が規制された汚染飛沫は、第１卓上空間Ｓ１又は第２卓上空間Ｓ２内で浮遊することになるが、この第１卓上空間Ｓ１及び第２卓上空間Ｓ２には、上記換気扇４によって屋内の区画外の空気が上記ＨＥＰＡフィルタを通して清浄な吸気として常時導入されていることから、上記第１卓上空間Ｓ１及び第２卓上空間Ｓ２内の汚染飛沫を含む空気は、この清浄な吸気によって次第に希釈されて清浄化される。このため、上記第１卓上空間Ｓ１又は第２卓上空間Ｓ２内で浮遊する汚染飛沫が上記貫通部３０を通って対面側へ流れ込むことが可及的に防止されることになる。
【０１１０】
このような上記中間仕切２９による汚染飛沫の移動規制作用と、上記換気扇４による汚染飛沫の希釈作用との相乗的効果として、人Ｍ１及び人Ｍ２が飛沫感染、空気感染によってウィルスとか細菌に感染することが防止されることになる。
【０１１１】
また、上記換気扇４からの吸気によって上記第１卓上空間Ｓ１又は第２卓上空間Ｓ２内の空気が清浄化され、これが順次屋内に流れ出すことで、屋内の清浄化が促進され、延いては屋内におけるウィルスとか細菌の空気感染が可及的に防止される。
【０１１２】
「第５実施形態」
図９には、本願発明の第５実施形態に係る卓上空間仕切装置Ｚ２２を示している。この卓上空間仕切装置Ｚ２２は、その基本構造を上記第４実施形態の卓上空間仕切装置Ｚ２１と同じにし、これと異なる点は、換気扇４の排気構造である。したがって、以下においては、この相違点を中心に説明し、それ以外の部分（構成及び作用効果の説明を含む）については第４実施形態における該当説明を援用し、ここでの説明は省略する。
【０１１３】
この卓上空間仕切装置Ｚ２２では、上記フレーム２の天面側に、ＨＥＰＡフィルタを備えた排気用の換気扇４を取り付けている。そして、上記第４実施形態の卓上空間仕切装置Ｚ２１においては、該換気扇４からの排気をそのまま屋内の区画外へ排出するようにしていたのに対して、この実施形態の卓上空間仕切装置Ｚ２２では、上記換気扇４の排出側をダクト７の一端に接続する一方、該ダクト７の他端側を建屋の外壁９を貫通して屋外空間に臨ませている。なお、この卓上空間仕切装置Ｚ２２では、上記換気扇４にミスト噴霧器は設けていない。
【０１１４】
したがって、上記換気扇４の運転に伴い、上記第１卓上空間Ｓ１及び第２卓上空間Ｓ２内の細菌やウィルスを含む唾液飛沫、即ち、汚染飛沫が上記ダクトを介して屋外に排出されることから、屋内の空気の汚染を防ぐことができ、延いては、屋内における飛沫感染、空気感染の抑制に寄与できる。
【０１１５】
また、上記換気扇４がＨＥＰＡフィルタを備えているため、上記第１卓上空間Ｓ１及び第２卓上空間Ｓ２内の空気は、これに含まれる汚染飛沫がＨＥＰＡフィルタにおいて捕捉除去されて清浄空気となった後、屋外に排出されることから、屋内空気の汚染防止と同時に、屋外空気の汚染も防止される。
【０１１６】
「第６実施形態」
図１０には、本願発明の第６実施形態に係る卓上空間仕切装置Ｚ２３を示している。この卓上空間仕切装置Ｚ２３は、上記第５実施形態の卓上空間仕切装置Ｚ２２の変形例と位置付けられるものであって、該第５実施形態の卓上空間仕切装置Ｚ２２とは上記ダクト７の構造が異なるもので、その他の構成等は、上記第４実施形態の卓上空間仕切装置Ｚ２１及び第５実施形態の卓上空間仕切装置Ｚ２２と同様である。したがって、以下においては、その相違点を中心に説明をし、それ以外の部分については、第４実施形態及び第５実施形態の該当説明を援用し、ここでの説明を省略する。
【０１１７】
上記卓上空間仕切装置Ｚ２３は、上記フレーム２と、該フレーム２を覆う仕切アセンブリＹ２で構成される。そして、該フレーム２の天面側には、貫通孔１０を備えた固定板５が取り付けられている。上記第５実施形態の卓上空間仕切装置Ｚ２２においては、この固定板５には換気扇４が取り付けられるとともに、該換気扇４の排出口側を覆うようにして上記ダクト７の一端が取り付けられ、該換気扇４の排気作用を利用して上記第１卓上空間Ｓ１及び第２卓上空間Ｓ２内の空気を、上記ダクト７を介して屋外へ排出するようにしていた。
【０１１８】
しかし、この実施形態の卓上空間仕切装置Ｚ２３においては、上記固定板５の貫通孔１０に上記換気扇４を取り付けることなく、上記ダクト７の一端を直接接続している。また、上記ダクト７の他端部は、建屋の外壁９を貫通して屋外に臨むとともに、上記外壁９の貫通部の直上流位置には他の卓上空間仕切装置Ｚ２３から延びるダクト３１の下流端が接続され、さらに上記外壁９の貫通部と上記ダクト３１の接続部の中間位置には、ＨＥＰＡフィルタを備えた排気用の換気扇８が取り付けられている。即ち、この実施形態の卓上空間仕切装置Ｚ２３は、複数の卓上空間仕切装置Ｚ２３側の空気を、単一の上記換気扇８の吸引排出作用を利用して屋外へ排出できるようにしたものである。なお、この卓上空間仕切装置Ｚ２３では、上記換気扇４にミスト噴霧器は設けていない。
【０１１９】
係る構成の卓上空間仕切装置Ｚ２３によれば、上記第５実施形態の卓上空間仕切装置２２と同様に、
（イ）上記換気扇８の運転に伴い、上記第１卓上空間Ｓ１及び第２卓上空間Ｓ２内の細菌やウィルスを含む唾液飛沫が上記ダクトを介して屋外に排出されることから、屋内の空気の汚染を防ぐことができ、延いては、屋内における飛沫感染、空気感染の抑制に寄与できる、
【０１２０】
（ロ）上記換気扇８がＨＥＰＡフィルタを備えているので、上記第１卓上空間Ｓ１及び第２卓上空間Ｓ２内の空気は、これに含まれる汚染飛沫がＨＥＰＡフィルタにおいて捕捉除去されて清浄空気となった後、屋外に排出されることから、屋内空気の汚染防止と同時に、屋外空気の汚染も防止される、
という効果が得られる。
【０１２１】
さらに、上記効果に加えて、以下のような特有の効果も得られる。即ち、この卓上空間仕切装置Ｚ２３では、同じ屋内に設置された複数の卓上空間仕切装置Ｚ２３からの排気を一機の換気扇８によって同時に行えることから、例えば、複数の卓上空間仕切装置Ｚ２３のそれぞれにダクト７及び換気扇８を備える場合に比して、装置構造が簡単で且つコンパクトとなり、経済的である。
【０１２２】
また、同じ屋内に設置された複数の卓上空間仕切装置Ｚ２３のそれぞれにおける排気作用が同等であることから、屋内全体として空気の清浄化が促進され、屋内におけるウィルスとか細菌による飛沫感染、空気感染が可及的に抑制される。
【０１２３】
「第７実施形態」
図１１は、この第７実施形態に係る卓上空間仕切装置Ｚ３とこれが設置されるテーブルＸ３における人の着座位置との関係を示すもので、人Ｍ１と人Ｍ２が横長のテーブルＸ３の一方の長辺側に横並び状態で着座するとともに、人Ｍ３と人Ｍ４が該テーブルＸ３の他方の長辺側に横並び状態で着座する対面・横並びタイプの卓上空間仕切装置であることを示している。
【０１２４】
なお、この第７実施形態、及び後述の第８実施形態、第９実施形態は、共に図１１に示す卓上空間仕切装置Ｚ３を基本とするものであるため、以下においては、第７実施形態の卓上空間仕切装置には符号「Ｚ３１」を、第８実施形態の卓上空間仕切装置には符号「Ｚ３２」を、第９実施形態の卓上空間仕切装置には符号「Ｚ３３」を、それぞれ付して区別するものとする。
【０１２５】
「卓上空間仕切装置Ｚ３１の構造」
図１２には、上記卓上空間仕切装置Ｚ３１を示している。この卓上空間仕切装置Ｚ３１は、フレーム３と、該フレーム３に装着される仕切アセンブリＹ３を備えて構成される。
【０１２６】
「フレーム３」
上記フレーム３は、例えば、矩形断面で且つその４面にはそれぞれ溝が設けられたアルミ引き抜き型材を組み合わせて形成されるもので、略平行に左右方向へ等間隔で配置された三本の第１フレーム３５と、この三本の第１フレーム３５を長手方向の略中央にて連結する第２フレーム３６と、上記三本の第１フレーム３５の上記第２フレーム３６との連結点にそれぞれ立設された三本の第３フレーム３７と、上記三本の第３フレーム３７の上端にそれぞれ上記各第１フレーム３５と平面視において平行となるように固定された三本の第４フレーム３８と、上記三本の第４フレーム３８に跨って所定間隔で平行配置された二本の第５フレーム３９によって略矩形枠状に形成されている。なお、図示の便宜上、フレームの４面に設けられた溝の図示は省略している。
【０１２７】
なお、上記各フレーム３５〜３９の素材としてアルミ引き抜き型材を用いたのは、主として軽量性、強度性能、及び溝を利用した仕切の固定性を勘案した結果であるが、これに限られず、例えば、樹脂製型材、木製型材等を用いることも可能である。
【０１２８】
さらに、この実施形態のフレーム３においては、その全高を９００ｍｍ程度としている。また上記第１フレーム３５の長さ寸法は、上記卓上空間仕切装置Ｚ３１が設置されるテーブルＸ３の卓５４の奥行寸法に略合致するように設定されている。さらに、左右両端に位置する一対の上記第１フレーム３５間の間隔は、該卓５４の幅寸法に略対応している。そして、上記第１フレーム３５の前後両端部の外面側には、上記卓５４との位置決め及びズレ規制用の固定材６がそれぞれ設けられている。
【０１２９】
一方、上記フレーム３の上記一対の第５フレーム３９の、上記三本の第４フレーム３８のそれぞれ中間に対応する二位置には、それぞれ固定板５が固定されている。この左右二つの固定板５の略中央位置には、ＨＥＰＡフィルタ（図示省略）と、次亜塩素酸などの殺菌剤を添加した水溶液を噴霧するミスト噴霧器（図示省略）を備えた換気扇４が取り付けられている。なお、この換気扇４としては、上記フレーム３の内側の空気を上方へ排出させる排気用換気扇４と、該フレーム３の内側へ空気を導入する吸気用換気扇４が適用可能であるが、この実施形態では排気用換気扇４を備えるものとして説明する。また、換気扇４として吸気用換気扇４を採用した場合については、別途説明をする。
【０１３０】
ここで、ＨＥＰＡフィルタを備えた上記換気扇４の仕様等について簡単に説明する。
換気扇４は、排気能力４０ｍ３／ｈのものを、２区画に対して１機設置することを基本とする。この実施形態の場合は、対象区画が４区画であるから換気扇４を２機設置してある。  また、換気扇４は、その下部（吸込側）に、交換可能なＨＥＰＡフィルタを備えている。  
【０１３１】
「仕切アセンブリＹ３」
上記仕切アセンブリＹ３は、厚さ３ｍｍの無色透明のＰＥＴ製板材を用いて形成されるもので、上記フレーム３の左右両面をそれぞれ覆う２枚の側面仕切４１と、上記フレーム３の上面を覆う天面仕切４２と、上記三本の第３フレーム３７に跨って設置される前面仕切４３と、左右方向中央に位置する上記第１フレーム３５と第４フレーム３８間に跨って配置された中間仕切４４を備えて構成される。
【０１３２】
この実施形態では、上記各仕切４１，４２，４３，４４をそれぞれ個別に形成し、且つその周縁部を上記各フレームの溝に嵌挿して固定する、ビスにて固定する、接着材を用いて固定するなど、種々の固定方法によって固定している。しかし、これら各仕切４１，４２，４３，４４は、必ずしも全てを個別に形成する必要はなく、例えば、その端縁が連続している一対の側面仕切４１と天面仕切４２の３枚についてはこれを連続した展開状態に形成し、使用に際しては連続部分を折曲して上記フレーム３に取り付けることもできる。さらに、上記天面仕切４２は、その前縁部４２aを、横長凹状に切り欠いて、テーブルＸ３に着座する人との干渉を回避するようにしている。
【０１３３】
一方、上記前面仕切４３は、上記フレーム３に取り付けた状態において、その上縁４３aの上記フレーム３の底面からの高さが６０ｃｍとなるように寸法が設定されており、該前面仕切４３の上縁４３ａとその上側に位置する上記天面仕切４２の下面との間には高さ約３０ｃｍの横長矩形の開口で成る貫通部４５が形成されている。
【０１３４】
この前面仕切４３の高さ寸法は、飛沫感染防止の観点から、上記卓上空間仕切装置Ｚ３１が載置されるテーブルＸ３における卓５４の高さ（設置板５５に立設した脚５６の上端に卓５４が設けられた一般的なテーブルの場合は７０ｃｍ）と、平均的な人（男性）の背丈（身長１７０ｃｍ）に応じて設定される。即ち、上記前面仕切４３の上縁４３aの高さは、人がテーブルに備えられた椅子に着座した状態において、その着座者の鼻の高さ位置（約４５ｃｍ）以上の高さに設定すべきとするが（着座者の鼻部分が上記前面仕切４３によって覆われるような高さ寸法）、この実施形態ではさらに余裕をみて、前面仕切４３の上縁４３ａの高さを６０ｃｍに設定している。このように、前面仕切４３の上縁４３ａの高さを６０ｃｍに設定した場合には、着座者の背丈が基準背丈から多少ずれていても、着座者の鼻の位置は前面仕切４３の上縁４３ａよりも下側に位置し、該鼻部分が上記前面仕切４３によって確実に覆われるため、該前面仕切４３の対面側に居る人からの汚染飛沫を吸引するのが可及的に防止されることになる。
【０１３５】
なお、この実施形態では、上記貫通部４５を矩形開口で構成しているが、これに限定されるものではなく、該貫通部４５は、要するに、この貫通部４５を挟んでその両側に位置する区画間において無理なく会話ができる程度に声が通るだけの面積があれば良く、その形体には制約はない。例えば、上記貫通部４５を、多数の小孔群とか、多数のスリット群、あるいは多数の小孔群とスリット群の組み合わせによって構成することも可能である。
【０１３６】
また、上記中間仕切４４の、上記第３フレーム３７を挟んだ両側位置には、それぞれ貫通部４６が設けられている。この貫通部４６は、上記貫通部４５と同様に、該中間仕切４４を挟んで対向する区画間における音声伝達路として機能するものであって、この実施形態においては該貫通部４６を一辺が約２０ｃｍの矩形の開口とし、またその高さはフレーム３の底面から６０〜８０cmの高さとしている。
【０１３７】
また、この実施形態では、上記仕切アセンブリＹ３を無色透明のＰＥＴ製板材を用いて形成しているが、これに限定されるものではなく、例えば、アクリル樹脂や硬質ポリ塩化ビニル樹脂等の板材を用いて形成することも可能である。また板材の色については、会話する相手の視認性や区画内の明るさ確保の観点からは、無色透明であることが望ましいが、用途に応じて、有色透明や有色不透明とすることも可能である。さらに、板材の厚さは、一般に１〜５ｍｍ程度であるが、材質の強度を考慮して適宜に決定すれば良い。
【０１３８】
また、上記仕切アセンブリＹ３は、上述のように各種の板材で形成する他に、例えば、板材に代えてシート材を用いることができる。  
このシート材は、帯電防止機能および防炎機能が付与された軟質のポリ塩化ビニル樹脂が好ましい。  
また、使用可能なシート材の厚さは、一般に０．０８〜１ｍｍ程度である。シート材は、フレームに対して、紐や金具等を用いて固定する。  
シート材は、各部分を個別に形成するのではなく、例えば、左右の側面仕切４１と天面仕切４２のように、互いに隣り合う複数の面の仕切を、連続する１枚のシート材によって形成してもよい。
【０１３９】
「テーブルＸ３」
ここで、上記卓上空間仕切装置Ｚ３１が載置されるテーブルＸ３について説明する。
このテーブルＸ３は、所定の大きさ及び重量を持つ平板状の設置板５５と、該設置板５５の左右両端寄りのそれぞれ立設された一対の脚５６と、該脚５６の上端に略水平に固定された長矩形平板状の卓５４を備えて構成される。そして、この卓５４の手前側の長辺部５４ｂと奥側の長辺部５４ｃがそれぞれ着座側となり、手前側には人Ｍ１と人Ｍ２が横並び状態で着座し、奥側には人Ｍ３と人Ｍ４が横並び状態で着座する（図１１参照）。なお、上記卓５４の一対の短辺部５４a、５４aは、次述のように、上記卓上空間仕切装置Ｚ３１の位置規制部として機能する。
【０１４０】
「卓上空間仕切装置Ｚ３１の使用状態等」
図１３には、上記テーブルＸ３の上記卓５４上に上記卓上空間仕切装置Ｚ３１を載置した状態を示している。この卓上空間仕切装置Ｚ３１の載置状態においては、上記フレーム３の第１フレーム３５の前後両端部にそれぞれ取り付けた上記固定材６が、上記卓５４の縁部５４aに掛止されることで、該卓上空間仕切装置Ｚ３１の左右方向の位置決めが行われるとともに、前後方向への移動調整が可能とされている。したがって、この卓上空間仕切装置Ｚ３１の載置状態において、これを前後方向に移動させながら位置調整することで、該卓上空間仕切装置Ｚ３１は上記テーブルＸ３の適正位置に設定される。
【０１４１】
このように上記テーブルＸ３の上記卓５４上に上記卓上空間仕切装置Ｚ３１を載置した状態においては、上記フレーム３の上記前面仕切４３と上記中間仕切４４を挟んでその両側に、上記左右一対の側面仕切４１と上記天面仕切４２と上記前面仕切４３と上記中間仕切４４の四者によって区切られた四つの区画が形成される。そして、この四つの区画のうち、手前左側の区画は第１卓上空間Ｓ１とされ、手前右側の区画は第２卓上空間Ｓ２とされ、奥左側の区画は第３卓上空間Ｓ３とされ、奥右側の区画は第４卓上空間Ｓ４とされる。したがって、人Ｍ１は第１卓上空間Ｓ１に、人Ｍ２は第２卓上空間Ｓ２に、人Ｍ３は第３卓上空間Ｓ３に、人Ｍ４は第４卓上空間Ｓ４に、それぞれ臨むことになる（図１１参照）。
【０１４２】
上記卓上空間仕切装置Ｚ３１に備えられた上記換気扇４は、上記テーブルＸ３に人が着座した時点で、あるいは人の着座の有無にかかわらず常時、運転され、上記各第１卓上空間Ｓ１から第４卓上空間Ｓ４の４区画の空気を吸引してこれを上記卓上空間仕切装置Ｚ３１外の屋内空間に排出する排気運転を行う（図１３の白抜き矢印を参照）。なお、図１３の斜線矢印は、他の実施形態として、上記換気扇４が吸気用換気扇とされ、該換気扇４が吸気運転される場合の空気の流れを示したものである。
【０１４３】
このような状況下において、上記テーブルＸ３の横並び位置、および対面位置に、人Ｍ１から人Ｍ４の４名がそれぞれ着座して会話する場合、発声、くしゃみ、咳等に伴って、口から唾液飛沫が噴き出される。この唾液飛沫には、ウィルスとか細菌が含まれている場合がある。したがって、一般的な事象として、このようなウィルスとか細菌を含む汚染飛沫が対話者に向けて噴き出されると、この汚染飛沫が対話者の鼻とか口から吸引され、対話者がウィルスとか細菌に感染する、いわゆる飛沫感染が発生することになる。
【０１４４】
しかし、この実施形態の卓上空間仕切装置Ｚ３１においては、対面する人Ｍ１と人Ｍ３、人Ｍ２と人M４、の間にはそれぞれ上記前面仕切４３が存在し、また横並びに対面する人Ｍ１と人Ｍ２、人Ｍ３と人M４、の間にはそれぞれ上記中間仕切４４が存在する。そして、上記前面仕切４３の上縁４３aは着座者の鼻の高さよりも高い位置にあり、また上記中間仕切４４に設けられた上記貫通部４６も着座者の鼻の高さよりも高い位置にあって、各着座者の鼻と口は上記前面仕切４３と上記中間仕切４４によって確実に覆われた状態となっている。このため、対面関係にある人Ｍ１と人Ｍ３の間、人Ｍ２と人M４の間、及び横並び関係にある人Ｍ１と人Ｍ２、人Ｍ３と人M４の間において、それぞれ会話が行われ、会話者の口から汚染飛沫が噴き出されたとしても、この汚染飛沫は上記前面仕切４３あるいは上記中間仕切４４によって移動が規制され、隣接する卓上空間内進入することは少ない。
【０１４５】
また、上記前面仕切４３、中間仕切４４によって他の卓上空間側への進入が規制された汚染飛沫は、上記第１卓上空間Ｓ１から第４卓上空間Ｓ４の各区画内で浮遊することになるが、これら各卓上空間Ｓ１〜Ｓ４内の空気は上記換気扇４によって常時吸引されて、該各卓上空間Ｓ１〜Ｓ４外の屋内に排出されるので、該各卓上空間Ｓ１〜Ｓ４内で浮遊する汚染飛沫が上記貫通部４５とか貫通部４６を通って他の卓上空間側へ流れ込むことは少ない。
【０１４６】
このような上記前面仕切４３と中間仕切４４による汚染飛沫の移動規制作用と、上記換気扇４による汚染飛沫の排出作用との相乗的効果として、人Ｍ１〜人Ｍ４が飛沫感染、空気感染によってウィルスとか細菌に感染することが可及的に防止されることになる。
【０１４７】
また、上記換気扇４にはＨＥＰＡフィルタが備えられているため、上記第１卓上空間Ｓ１から第４卓上空間Ｓ４の各区画から排出される空気は、ここに含まれたウィルスとか細菌が、上記ＨＥＰＡフィルタによって除去された状態で屋内に排出されるので、屋内空気の清浄化がより促進される。
さらに、上記換気扇４にはミスト噴霧器が備えられているため、上記第１卓上空間Ｓ１から第４卓上空間Ｓ４の各区画から排出される空気は、ここに含まれたウィルスとか細菌が、殺菌剤を添加したミストによって死滅した状態で屋内に排出されるので、屋内空気の清浄化がより促進される。
なお、上記ミスト噴霧器は、噴霧する殺菌剤が人Ｍ１〜人Ｍ４の健康に与える影響を考慮して、人Ｍ１〜人Ｍ４の全員が卓上空間仕切装置Ｚ３１の前に着座していない場合にのみ稼働するものである。
このように、係る実施形態の卓上空間仕切装置Ｚ３１は、閉鎖性の高い飲食店やオフィス等の屋内で使用する場合に好適である。
【０１４８】
「吸気用換気扇を備えた場合の作用効果」
ここで、上記換気扇４が吸気用換気扇である場合における作用効果を、図１３を参照して簡単に説明する。
【０１４９】
図１３に示すような装置構成において、上記テーブルＸ３の対面位置及び横並び位置に人Ｍ１〜人Ｍ４がそれぞれ着座して会話する場合、発声、くしゃみ、咳等に伴って、汚染飛沫が噴き出され、一般的な事象として、この汚染飛沫が対話者の鼻とか口から吸引され、対話者がウィルスとか細菌に感染する、いわゆる飛沫感染、空気感染が発生する恐れがあることは既述の通りである。
【０１５０】
しかし、この卓上空間仕切装置Ｚ３１においては、対面する人Ｍ１と人Ｍ３、人Ｍ２と人M４の間にはそれぞれ上記前面仕切４３が存在し、また横並びに対面する人Ｍ１と人Ｍ２、人Ｍ３と人M４の間にはそれぞれ上記中間仕切４４が存在し、人Ｍ１〜人Ｍ４から対話の相手側に向けて汚染飛沫が噴き出されたとしても、この汚染飛沫は上記前面仕切４３及び中間仕切４４によってその移動が規制され、他の卓上空間側への進入が防止されることも既述の通りである。
【０１５１】
一方、上記前面仕切４３及び中間仕切４４によって対面側および横並び側への移動が規制された汚染飛沫は、各卓上空間Ｓ１〜Ｓ４内で浮遊することになるが、これら卓上空間Ｓ１〜Ｓ４内には、上記換気扇４によって屋内の区画外の空気が上記ＨＥＰＡフィルタを通して清浄な吸気として常時導入されていることから、上記各卓上空間Ｓ１〜Ｓ４の汚染飛沫を含む空気は、この清浄な吸気によって次第に希釈されて清浄化される。このため、上記各卓上空間Ｓ１〜Ｓ４で浮遊する汚染飛沫が上記貫通部４５あるいは上記貫通部４６を通って対面側あるいは横並び側の卓上空間へ流れ込むことが可及的に防止されることになる。
【０１５２】
このような上記前面仕切４３及び中間仕切４４による汚染飛沫の移動規制作用と、上記換気扇４による汚染飛沫の希釈作用との相乗的効果として、人Ｍ１〜人Ｍ４が飛沫感染、空気感染によってウィルスとか細菌に感染することが防止されることになる。
【０１５３】
また、上記換気扇４からの吸気によって上記各卓上空間Ｓ１〜Ｓ４内の空気が清浄化され、これが順次屋内に流れ出すことで、屋内の清浄化が促進され、延いては屋内におけるウィルスとか細菌の空気感染が可及的に防止される。
【０１５４】
「第８実施形態」
図１４には、本願発明の第８実施形態に係る卓上空間仕切装置Ｚ３２を示している。この卓上空間仕切装置Ｚ３２は、その基本構造を上記第７実施形態の卓上空間仕切装置Ｚ３１と同じにし、これと異なる点は、換気扇４の排気構造である。したがって、以下においては、この相違点を中心に説明し、それ以外の部分（構成及び作用効果の説明を含む）については第７実施形態における該当説明を援用し、ここでの説明は省略する。
【０１５５】
この卓上空間仕切装置Ｚ３２では、上記フレーム３の天面側に、ＨＥＰＡフィルタを備えた排気用の換気扇４を２取り付けている。そして、上記第７実施形態の卓上空間仕切装置Ｚ３１においては、該換気扇４からの排気をそのまま屋内の区画外へ排出するようにしていたのに対して、この実施形態の卓上空間仕切装置Ｚ３２では、2機の換気扇４の排出側を、ダクト７の一端側に設けた分岐部の端部にそれぞれ接続するとともに、該ダクト７の他端側を外壁９を貫通して屋外空間に臨ませている。なお、この卓上空間仕切装置Ｚ３２では、上記換気扇４にミスト噴霧器は設けていない。
【０１５６】
したがって、各換気扇４の運転に伴い、上記第１卓上空間Ｓ１〜第４卓上空間Ｓ４内の細菌やウィルスを含む唾液飛沫、即ち、汚染飛沫が、上記ダクトを介して屋外に排出されることから、屋内の空気の汚染を防ぐことができ、延いては、屋内における飛沫感染、空気感染の抑制に寄与できる。
【０１５７】
また、各換気扇４がＨＥＰＡフィルタを備えているため、上記第１卓上空間Ｓ１〜第４卓上空間Ｓ４内の空気は、これに含まれる汚染飛沫がＨＥＰＡフィルタにおいて捕捉除去されて清浄空気となった後、屋外に排出されることから、屋内空気の汚染防止と同時に、屋外空気の汚染も防止される。
【０１５８】
「第９実施形態」
図１５には、本願発明の第９実施形態に係る卓上空間仕切装置Ｚ３３を示している。この卓上空間仕切装置Ｚ３３は、上記第８実施形態の卓上空間仕切装置Ｚ３２の変形例と位置付けられるものであって、該第８実施形態の卓上空間仕切装置Ｚ３２とは上記ダクト７の構造が異なるもので、その他の構成等は、上記第７実施形態の卓上空間仕切装置Ｚ３１及び第８実施形態の卓上空間仕切装置Ｚ３２と同様である。したがって、以下においては、その相違点を中心に説明をし、それ以外の部分については、第７実施形態及び第８実施形態の該当説明を援用し、ここでの説明を省略する。
【０１５９】
上記卓上空間仕切装置Ｚ３３は、上記フレーム３と、該フレーム３を覆う仕切アセンブリＹ３で構成される。そして、該フレーム３の天面側には、貫通孔１０を備えた固定板５が取り付けられている。上記第８実施形態の卓上空間仕切装置Ｚ３２においては、この固定板５には換気扇４が取り付けられるとともに、該換気扇４の排出口側を覆うようにして上記ダクト７の一端が取り付けられ、該換気扇４の排気作用を利用して上記第１卓上空間Ｓ１〜第４卓上空間Ｓ４内の空気を、上記ダクト７を介して屋外へ排出するようにしていた。
【０１６０】
しかし、この実施形態の卓上空間仕切装置Ｚ３３においては、上記固定板５の貫通孔１０に上記換気扇４を取り付けることなく、上記ダクト７の一端を直接接続している。また、上記ダクト７の他端部は、建屋の外壁９を貫通して屋外に臨むとともに、上記外壁９の貫通部の直上流位置には他の卓上空間仕切装置Ｚ３３から延びるダクト３１の下流端が接続され、さらに上記外壁９の貫通部と上記ダクト３１の接続部の中間位置には、ＨＥＰＡフィルタを備えた排気用の換気扇８が取り付けられている。即ち、この実施形態の卓上空間仕切装置Ｚ３３は、複数の卓上空間仕切装置Ｚ３３側の空気を、単一の上記換気扇８の吸引排出作用を利用して屋外へ排出できるようにしたものである。なお、この卓上空間仕切装置Ｚ３３では、上記換気扇４にミスト噴霧器は設けていない。
【０１６１】
係る構成の卓上空間仕切装置Ｚ３３によれば、上記第８実施形態の卓上空間仕切装置３２と同様に、
（イ）上記換気扇８の運転に伴い、上記第１卓上空間Ｓ１〜第４卓上空間Ｓ４内の細菌やウィルスを含む唾液飛沫が上記ダクトを介して屋外に排出されることから、屋内の空気の汚染を防ぐことができ、延いては、屋内における飛沫感染、空気感染の抑制に寄与できる、
【０１６２】
（ロ）上記換気扇４がＨＥＰＡフィルタを備えているので、上記第１卓上空間Ｓ１〜第４卓上空間Ｓ４内の空気は、これに含まれる汚染飛沫がＨＥＰＡフィルタにおいて捕捉除去されて清浄空気となった後、屋外に排出されることから、屋内空気の汚染防止と同時に、屋外空気の汚染も防止される、
という効果が得られる。
【０１６３】
さらに、上記効果に加えて、以下のような特有の効果も得られる。即ち、この卓上空間仕切装置Ｚ３３では、同じ屋内に設置された複数の卓上空間仕切装置Ｚ３３からの排気を一機の換気扇８によって同時に行えることから、例えば、複数の卓上空間仕切装置Ｚ３３のそれぞれにダクト７及び換気扇８を備える場合に比して、装置構造が簡単で且つコンパクトとなり、経済的である。
【０１６４】
また、同じ屋内に設置された複数の卓上空間仕切装置Ｚ３３のそれぞれにおける排気作用が同じであることから、屋内全体として空気の清浄化が促進され、屋内におけるウィルスとか細菌による飛沫感染、空気感染が可及的に抑制される。
【産業上の利用可能性】
【０１６５】
本願発明に係る卓上空間仕切装置は、主として飛沫感染による感染症の対策に係る技術分野において利用されるものである。
【符号の説明】
【０１６６】
１〜３  ・・フレーム
４  ・・換気扇
５  ・・固定板
６  ・・固定材
７  ・・ダクト
８  ・・換気扇
１１〜１５  ・・フレーム
１６  ・・側面仕切
１７  ・・天面仕切
１８  ・・前面仕切
１９  ・・貫通部
２０〜２５  ・・フレーム
２６  ・・側面仕切
２７  ・・天面仕切
２８  ・・前面仕切
２９  ・・中間仕切
３０  ・・貫通部
３５〜３９  ・・フレーム
４１  ・・側面仕切
４２  ・・天面仕切
４３  ・・前面仕切
４４  ・・中間仕切
４５  ・・貫通部
４６  ・・貫通部
５４  ・・卓
Ｓ１〜Ｓ４  ・・卓上空間
Ｘ１〜Ｘ３  ・・テーブル
Ｚ１〜Ｚ３  ・・卓上空間仕切装置
Ｚ１１〜Ｚ１３  ・・卓上空間仕切装置
Ｚ２１〜Ｚ２３  ・・卓上空間仕切装置
Ｚ３１〜Ｚ３３  ・・卓上空間仕切装置
【図１】
2022001807.tif 000003
【図２】
2022001807.tif 000004
【図３】
2022001807.tif 000005
【図４】
2022001807.tif 000006
【図５】
2022001807.tif 000007
【図６】
2022001807.tif 000008
【図７】
2022001807.tif 000009
【図８】
2022001807.tif 000010
【図９】
2022001807.tif 000011
【図１０】
2022001807.tif 000012
【図１１】
2022001807.tif 000013
【図１２】
2022001807.tif 000014
【図１３】
2022001807.tif 000015
【図１４】
2022001807.tif 000016
【図１５】
2022001807.tif 000017